(57)【要約】      （修正有）【課題】防振根太の強度を増強させ、釘打ちが可能で、壁際等での床の浮き上がりが防止出来る防振根太の提供。更に、何処の位置に間仕切り壁を施工しても、間仕切り壁の荷重を複数の防振根太で支持出来て、壁や床の歪みや床が傾斜することのない安定した間仕切り壁が施工出来て、遮音性能も優れていることを特徴とする防振根太を使用した床施工方法を併せて提供する。【解決手段】防振根太の強度を増強させるために、全面に断面コ字状で所定間隔多数穴を有する金属等のチャンネル材を被せる。又、根太の側面に円形の穴を開けゴムを挿入し、釘又は木ビスで壁スラブや間仕切り壁及び束等に固定して、床の浮き上がりを防止する。床パネルを上記防振根太で支持することで床レベルの水平が保たれ、振動をも抑止出来る。更に上記防振根太を約４５度の角度で設置されるようにし、床の上に間仕切り壁を任意の位置に配置が可能となる効果を発揮するようにする。【選択図】図８
2005201023.tif 000002
【特許請求の範囲】
【請求項１】
床スラブに対して防振ゴムを介して床下地を浮かして支持する高耐荷重性と高防振性を兼ね具えた乾式遮音二重床用の防振根太であって、上記防振根太の形状を、一般に使用されているＬＶＬなどの長尺材の木質系根太に所定間隔多数の支持脚を供えているものに、強度を増強するために全面に断面下向きのコ字状などの所定間隔多数穴を有する金属や合成樹脂等のチャンネル材を被せてなることを特徴とする床設置用の防振根太。
【請求項２】
上記防振根太の形状を、上面と下面を反転逆使用することで釘及び一般の木ビスを使用して簡単に施工できることを特徴とする防振根太。
【請求項３】
上記防振根太を使用して、壁面側を施工する際に遮音性能を高めるために、上記防振根太を壁スラブより切り離して施工するため、床下と床仕上げ後の室内との湿度や温度差で壁際やベランダ側の掃出し部などで床が浮き上がってしまう。防振性を確保しながら床の浮き上がりを抑止するために、上記防振根太の側面に円形の穴を開けて鍔付きのＴ字型の円形ゴムを挿入し、上記防振ゴムの中心附近及び上記防振ゴムの中心と下端の中間位置辺りを目処に釘又は木ビスで壁スラブや束に固定して、床の浮き上がりを防止すると共に、壁と床を防振ゴムを介することで遮音性が確保出来ることを特徴とする防振根太。
【請求項４】
上記防振根太を使用して、壁面側及び居室全面の床パネルを上記防振根太で支持することで床レベル即ち均一な水平が保たれた高耐荷重性能床であって、且つ太鼓現象を抑止した高遮音性能を有する乾式遮音二重床を提供できることを特徴とする防振根太を使用した床施工方法。
【請求項５】
上記防振根太を使用して、各居室毎及び一世帯全面の床パネルを支持して床を先行して完成させた床の上に、間仕切り壁を施工する際に所定間隔で上記防振根太が配置されており、間仕切り壁の荷重を分散平均化することで、壁や床の歪みなどや床が下がったり傾斜することのない安定した間仕切り壁が施工出来き、更に壁スラブと上記防振根太を約４５度の角度で設置されるようにし、間仕切り壁を任意の位置に縦横自由自在に配置しても必ず間仕切壁の荷重を複数個の防振根太で受けることが出来るようにして、安心安全・自由自在の間取りが可能となることを特徴とする防振根太を使用した床施工方法。
【発明の詳細な説明】
【技術分野】
【０００１】  本発明は、マンション等の各種建築物の床スラブ上に床下地を設置するに用いる防振根太及びこれを用いた床施工方法に関する。
【背景技術】
【０００２】  この種の防振根太としては、ＬＶＬなど木質系の平行合板などの長尺材に所定間隔で多数個のナットを圧入し、そのナットに多数個の支持脚を螺装するものなど、上記支持脚にはボルト上端に高さ調整用のドライバー受けの溝と且つ下端に防振ゴムを装着している。又、軽量鉄骨材の野縁バーに所定間隔で部分的に木質系ブロックにナットを圧入して固定しそのナットに多数個の支持脚を螺装させたものが知られている。【０００３】  このとき木質系の平行合板などの長尺材は木質であることから曲げ強度が弱く、長尺材の厚みを４０ｍｍ以上にする必要があり、一定以下の床高さには対応出来ない欠陥がある。又軽量鉄骨材の野縁バーに所定間隔で部分的に木質系ブロックにナットを圧入したものを固定したものは、その防振根太に床パネルを上に載せて強度の強い木ビスなどで固定する際に、所定間隔で部分的に配置されている木質系ブロックにしか固定出来ず、上記木質系ブロックのない箇所へ木ビス固定しようとすると、軽量鉄骨材の野縁バーの厚みが０．６〜０．８ｍｍ程度のため確実な固定が出来ず床鳴りなどの原因となってしまう欠陥がある。その上、釘での固定が出来ない欠点がある。【０００４】  更に、その施工の際に壁際に床から振動が伝播しないように壁から縁を切って施工するために、床と壁が固定されていないため室内と床下との温度差や湿度差で床パネルの端が反って持ち上がる現象がおきて、床と掃出し部など額縁との段差が出来て危険である。【０００５】  一般に乾式遮音二重床を施工する際、巾２尺×長さ６尺の床パネルの長尺側側面を４乃至５個の単体の支持脚で支えて床を形成しているが、床パネル中央部には支持脚を使用していないために床パネルの中央部が床下の湿度や人の歩行や家具などの加重で下に撓んでしまう欠陥がある。【０００６】更に、一世帯乾式遮音二重床を先行して施工した上に間仕切り壁を施工する床先行工法の場合、床施工前に予め間仕切り壁の乗る位置に支持脚を配置施工しなくてはならず、手間と時間がかかっている。乾式遮音二重床を施工した後で自由な位置に間仕切りをするスケルトン・インフィル対応やフリープランに対応出来ない欠陥がある。
【特許文献１】特開平１１−１６６３０９
【特許文献２】特開２００２−３０７８７
【発明の開示】
【発明が解決しようとする課題】
【０００７】  一般に使用されているＬＶＬなど木質系の平行合板などを使用した防振根太の強度を補強して、更に低い床にも対応出来る防振根太を提供する必要がある。【０００８】  一般に使用されている軽量鉄骨材の野縁バーを使用した防振根太は、鉄ビス又は強度の強い木ビスを使用するためインパクトドライバーなどの工具を使用する煩雑さがある。一般に床を施工する際に使用している釘を用いて同じ釘打ち機で一括して施工出来るようにするには、釘で固定出来るようにする必要がある。【０００９】  その施工の際に壁際に床から振動が伝播しないように壁から縁を切って施工するために、床と壁が固定されていないため室内と床下との温度差や湿度差で床パネルの端が反って持ち上がり、床と掃出し部など額縁との段差が出来て危険であり、床パネルの端が反って持ち上がらないようにする必要がある。【００１０】  この場合比較的施工性が簡単で安定した耐荷重性と遮音性を有する床であって、更に床レベル即ち水平を確保することが不可欠であるが、従来の工法では床中央部を個々の支持脚で床パネルを支持しているために、均一な床レベル即ち水平を確保する必要がある。
この場合一定以下の床高さにも対応出来て、且つ床剛性が確保され、更に防振根太に床パネルを上に載せて釘などで簡単に固定出来て、更に任意の位置に釘などで簡単に床パネルを固定できるようにする必要がある。【００１１】  一方、スケルトン分譲やフリープラン対応で間仕切り壁を、床設置後に自由に配置するためには、間仕切壁の荷重を支持脚で受けることが不可欠であるが、従来の工法では床中央部を個々の支持脚で床パネルを支持しているために、必ず間仕切壁下に支持脚が配置されているとは限らない。間仕切り壁を床設置後に自由に配置出来るようにする必要がある。
【課題を解決するための手段】
【００１２】  本発明はかかる事情に鑑みてなされたもので、一般に使用されているＬＶＬなど木質系の平行合板やパーティクルボードなどを使用した防振根太で所定間隔多数の支持脚を供えているものに、強度を補強するために全面に断面下向きのコ字状などの所定間隔多数穴を有する金属や合成樹脂等のチャンネル材を被せて強度を補強したものとなった。【００１３】  更に、必要に応じて上記防振根太の形状を上面と下面を反転逆使用することで、ＬＶＬなど木質系の平行合板やパーティクルボードなどが上面となり、床パネルを簡単に釘打ち固定を可能とするものである。【００１４】  床下と床仕上げ後の室内との湿度や温度差で壁際やベランダ側の掃出し部などで床が浮き上がるのを防振性を確保しながら抑止するために、上記防振根太の側面に円形の穴を開けて鍔付きのＴ字型の円形ゴムを挿入し、該防振ゴムの中心と下端の中間位置辺りに釘又は木ビスで壁スラブや束に固定して、床の浮き上がりを防止すると共に壁と床を防振ゴムを介することで遮音性を確保することを可能とするものである。【００１５】  上記発明に加えて、上記防振根太を使用して壁面側及び居室全面の床パネルを該防振根太で支持することで、床レベル即ち均一な水平が保たれていて、且つ高耐荷重性能であって、更に乾式遮音二重床の欠陥でもある太鼓現象による特に重量床衝撃音の悪化を防止して高遮音性能を有することを特徴とする床設置用の防振根太を使用した床施工方法とするものである。【００１６】  更に上記防振根太を使用して壁面側及び居室全面の床パネルを該防振根太で支持する際に、上記防振根太の配置を壁面より約４５度位を目安に斜めに配置することで、均一な床レベル即ち水平を確保したうえで、床設置後に間仕切壁を縦・横など任意の位置に施工しても間仕切壁の荷重を必ず複数個の防振根太で受けることが出来る。これにより間仕切り壁の荷重を分散平均化することで、壁や床の歪みなど及び床が歪んだり傾斜することのない安定した間仕切り壁が施工出来ることを特徴とする防振根太を使用した床施工方法とするものである。【００１７】  本発明はこれらをそれぞけ発明の要旨とし、上記課題解決の手段とした。
【発明の効果】
【００１８】  上述したように本発明の防振根太は、耐荷重性に優れた防振根太とすることが出来、更に低床仕上げ床を提供出来ることとなった。【００１９】  更に、上記防振根太の形状を、上面と下面を反転逆使用する事で木質部が上面となり、任意の位置に床パネルを釘や木ビスなどを使用して簡単に施工出来る防振根太を提供できる。【００２０】  また、防振性を損なうことなく壁際などの床の浮き上がりを防止する効果を発揮すねものである。【００２１】  更に、壁面側及び居室全面の床パネルを本発明の防振根太で施工することで、床レベル即ち均一な水平が保たれた床が提供出来て、且つ高耐荷重性能であって更に太鼓現象を抑止した高遮音性能を有する乾式遮音二重床を提供できる。【００２２】  且つ、各居室毎び一世帯全面の床を先行して完成させた床の上に、間仕切り壁を任意の位置に配置しても間仕切壁の荷重を必ず複数個の防振根太で受けることが出来るので、安心安全な自由自在の間取りが可能となる効果を発揮するものである。【００２３】  本発明は、上記課題にそって研究の結果、上記防振根太は曲がりや捻じりなどの狂いが無く極めて撓みが少なく、長尺の防振根太で長さ２，０００ｍｍ〜２，４００ｍｍに支持脚が４本でその間隔が６１２ｍｍのもの、中尺の防振根太で長さ１，６００ｍｍ〜１，８００ｍｍに支持脚が３本でその間隔が６１２ｍｍのもの、短尺の防振根太で長さ１，０００ｍｍ〜１，１００ｍｍに支持脚が２本でその間隔が６１２ｍｍのもを適宜組合わせて、壁面側及び居室全面の床パネルを支持することで床レベルが均で極めて水平の高い床が形成された。耐荷重性能は財団法人日本建築センター基準を満たし、積荷荷重による短期変形試験では３，９２０ニュートン／平米積荷荷重の変化量判定基準の７．５ｍｍを下回り４．８ｍｍ以下、局部集中による短期変形試験では３，９２０ニュートン加力時の変化量判定基準の１２．５ｍｍを下回り１０．２ｍｍ以下であった。更に、遮音性能は、ＪＩＳ  Ａ  １４１８及びＪＩＳ  Ａ  １４４０規格に基づく床衝撃音レベル低減量試験の自社試験では、仕上げ材１２ｍｍカラーフロアー、床仕上げ高さ１００ｍｍで、ＬＬ−４０・ＬＨ−５０の性能が確認され高遮音性能を有することが知見された。
【発明を実施するための最良の形態】
【００２４】    以下図面の例に従い本発明を更に具体的に説明すれば、図１においてＡは一般に使用されているＬＶＬなどの木質系根太で所定間隔で多数の支持脚１を備え、床レベル調整用で支持脚１の頭部を回転出来るようにドライバー受け溝２がある防振根太。Ｂは金属や合成樹脂等で出来た強度を増強するために上面に透孔３をＡのドライバー受け溝２に合わせて透孔した断面下向きコ字状、断面下向きＣ字状、断面倒Ｌ字状等のチャンネル材で、Ａの真上に被せて一体とした耐加重性能に優れ上部からの押し曲げ強度に優れた図２の防振根太Ｃとしてある。【００２５】  図３においてＤは、上記防振根太Ｃを、上面と下面を反転逆にして金属等のチャンネル材を下面とし、上面に木質系部材がくるようにしたものである。以下図面に従って本発明を更に具体的に説明すれば、図４の木質部４はＡの木質部分であり、支持脚１のボルト部を受けるナット５の保持用の透孔６がある。Ｂのチンネル材７には、ナット５のローレット部８を貫通させて木質部４に圧入保持させるための透孔９がある。更に詳細に断面を説明すれば、図５のように構成して組み立てたものとしている。【００２６】  図６において、Ｅは一般に使用されているＬＶＬなどの木質系根太で、木質部４に円形等の透孔１０を側面に多数開け、上記透孔１０に合わせて鍔付きのＴ字形の円形等の防振ゴ厶１１を挿入し、上記防振ゴムの中心附近及び上記防振ゴ厶の中心と下端の中間位置辺りを目処にコンクリート釘や木ビス等で壁スラブＦ又は間仕切壁及び束等に固定して、床の浮き上がりを防止するようにしてある。それと共に、床と壁を防振ゴムを介することで壁スラブＦへの振動伝達を抑止して階下への遮音性能が確保出来ようにしてある。【００２７】  上記防振根太Ｄを使用した施工方法は、図７に従って説明すれば上記防振根太Ｄを壁スラブＦに添ってコンクリートスラブＧの端部位置から５ｍｍ位離して置き、支持脚１のボルト部を回転させて水平レベルを確保し、上記防振根太Ｄの載置面に端部側先行床パネル１０ａを載置固定することで端部側先行床パネル１２をコンクリートスラブＧに設置し、その後にコンクリートスラブＧに上記床パネル１３を順次、図７のように１本脚・２本脚・３本脚・４本脚など多数個の支持脚の上記防振根太Ｄを使用して設置するものとしてある。上記防振根太Ｄを使用して上記床パネル１２及び１３を順次設置することにより確実に各床パネルの下面を防振根太Ｄが端部だけではなく床パネル中央部にかけても支持する。【００２８】  更に、上記防振根太Ｄを使用した施工方法は、図８に従って説明すれば上記防振根太Ｄを壁スラブＦに添ってコンクリートスラブＧの端部位置から５ｍｍ位離して置き、支持脚１のボルト部を回転させて水平レベルを確保し、上記防振根太Ｄの載置面に二辺を約４５度にカットした三角形の端部側先行床パネル１４を載置固定することで端部側先行床パネル１４をコンクリートスラブＦに設置し、その後にコンクリートスラブＦに短尺側の短部二辺を約４５度と１３５度と斜めにカットした床パネル１５を順次、図８のように１本脚・２本脚・３本脚・４本脚など多数個の支持脚の上記防振根太Ｄを使用して設置するものとしてある。上記防振根太Ｄを使用して上記床パネル１４及び１５を順次設置することにより確実に各床パネルの下面を防振根太Ｄが端部だけではなく床パネル中央部にかけても支持する。このとき図８のように床パネル１４及び１５の長尺側に直角に上記防振根太Ｄを使用して設置してあることで、壁スラブＦと上記防振根太Ｄは約４５度の角度で設置されるようにしてある。【００２９】  各居室毎び一世帯全面の床を壁スラブＦと上記防振根太Ｄを約４５度の角度で設置されるようにして、先行して完成させた床の上に間仕切り壁を任意の位置に縦横自由自在に配置しても必ず間仕切壁の荷重を複数個の防振根太で受けることが出来るので、安心安全・自由自在の間取りが可能となる効果を発揮するようにしてある。【００３０】  図示した例は以上のとおりとしたが、本発明の実施に当って、防振根太、その長尺材、防振ゴム、床支持脚、床パネル、チャンネル材等の各具体的構造、形状、材質、これらの関係、これらに対する付加、床施工の具体的な方法は、例えば床パネルを壁スラブと平行に設置し上記防振根太Ｄを壁スラブと約４５度の角度で設置したり任意の角度で設置するなど、建物の形状、使用状況などデザイン性を含め様々な形態にも自在に対応できるものとすることができる。
【図面の簡単な説明】
【００３１】
【図１】防振根太とチャンネル材の斜視図である。
【図２】防振根太とチャンネル材を一体にした斜視図である。
【図３】図２の防振根太を上面と下面を反転逆使用にした斜視図である。
【図４】防振根太の一部の拡大分解斜視図である。
【図５】防振根太の部分拡大縦断面図である。
【図６】防振根太の一部の拡大分解斜視図及び拡大縦断面図である。
【図７】壁スラブと防振根太の位置関係を示す平面図である。
【図８】壁スラブと防振根太の位置関係を示す平面図である。
【符号の説明】
【００３２】  Ａ  一般に使用されている木質系根太
Ｂ  チャンネル材
Ｃ  強度を補強した防振根太
Ｄ  上面に木質系部材がくるようにした防振根太
Ｅ  木質系根太
Ｆ  壁スラブ
Ｇ  床スラブ
１  支持脚
２  ドライバー受け溝
３  透孔
４  木質部
５  ナット
６  ナット保持用透孔
７  チャンネル材
８  ナットのローレット部
９  チャンネル材の透孔
１０  木質部の透孔
１１  Ｔ字形等の防振ゴム
１２  端部側先行床パネル
１３  床パネル
１４  三角形の端部側先行床パネル
１５  短尺側を斜めにカットした床パネル
【図１】
2005201023.tif 000003
【図２】
2005201023.tif 000004
【図３】
2005201023.tif 000005
【図４】
2005201023.tif 000006
【図５】
2005201023.tif 000007
【図６】
2005201023.tif 000008
【図７】
2005201023.tif 000009
【図８】
2005201023.tif 000010